(57)【特許請求の範囲】
【請求項１】
移動局装置と網側システムとを含む移動体通信システムにおいて、
前記網側システムは、ネットワークサービスサーバ装置と、複数の網を構成する基地局装置と、を含み、
前記移動局装置は、
第１の網を構成する基地局装置に対し、所定の設定用信号を送信する設定用信号送信手段と、
前記設定用信号送信手段による前記設定用信号の送信後所定時間経過後、第２の網を構成する基地局装置に対し、再度前記設定用信号を送信する設定用信号再送信手段と、
を含み、
前記第１の網を構成する基地局装置は、
前記移動局装置が送信した前記設定用信号を受信する設定用信号受信手段と、
前記設定用受信手段により前記設定用信号が受信された後、前記移動局装置と前記ネットワークサービスサーバ装置との間で行なわれる通信の中継が開始される前に、インバンドが利用可能となったことを示すインバンド利用可能情報を含む確認信号、又は、前記ネットワークサービスサーバ装置において呼び出しを開始したことを示す確認信号を送信する確認信号送信手段と、
前記設定用信号受信手段により受信された前記設定用信号を、前記ネットワークサービスサーバ装置に対して転送する設定用信号転送手段と、
を含み、
前記ネットワークサービスサーバ装置は、
前記設定用信号転送手段により転送された前記設定用信号に応じた設定処理を行う設定処理手段、
を含み、
前記移動局装置は、
前記第１の網を構成する基地局装置が送信した前記確認信号を受信する確認信号受信手段と、
前記確認信号受信手段により前記確認信号が受信されたか否かに応じて、前記設定用信号再送信手段による前記設定用信号の送信を制限する送信制限手段と、
をさらに含む、
ことを特徴とする移動体通信システム。
【請求項２】
請求項１に記載の移動体通信システムにおいて、
前記ネットワークサービスサーバ装置は、
前記設定処理手段により行われる設定処理が失敗した場合に、所定の設定失敗通知信号を送信する送信手段、
をさらに含み、
前記移動局装置は、
前記ネットワークサービスサーバ装置が送信した前記設定失敗通知信号を受信する受信手段と、
前記送信制限手段は、前記受信手段により前記設定失敗通知信号が受信された場合、前記送信制限手段による制限を解除する制限解除手段と、
をさらに含む、
ことを特徴とする移動体通信システム。
【請求項３】
請求項１又は２に記載の移動体通信システムにおいて、前記設定用信号送信手段と前記設定用信号再送信手段とは、一方が自営網を構成する前記基地局装置を介して前記設定用信号を送信し、他方が公衆網を構成する前記基地局装置を介して前記設定用信号を送信する、
ことを特徴とする移動体通信システム。
【発明の詳細な説明】
【技術分野】
【０００１】
本発明は移動体通信システムに関し、特に移動局装置が送信する設定用信号のリトライを抑制することのできる技術に関する。
【背景技術】
【０００２】
公衆網と自営網の双方に接続可能なコードレス電話システム（例えば特許文献１参照。）を含む近年の移動体通信システムにおいては、着信転送や留守番電話など、種々のネットワークサービスが利用される。
【０００３】
これらのサービスを利用するためにはユーザによる設定操作が必要になることがある。ユーザは、移動局装置から網側システムに対して所定の設定用信号を送信することにより、この設定操作を行う。
【０００４】
このような移動体通信システムにおいて使用される移動局装置には、設定用信号の送信後所定時間内に網側装置から設定完了が通知されない場合、設定用信号を自動再送信（リトライ）するようにしているものもある。
【特許文献１】特開平８−１９０４８号公報
【発明の開示】
【発明が解決しようとする課題】
【０００５】
上記従来の移動局装置は、設定完了が通知されない限り、リトライを行う。しかしながら、設定完了が通知されないとしても、設定処理が完了している場合があり得、この場合、移動局装置は無駄なリトライを行うことになる。
【０００６】
すなわち、網側システムに設定用信号が到達してさえいれば、網側システムは設定処理を完了できるが、設定完了の通知の段階になって、フェージング等により通信が切断されることがある。この場合、移動局装置は、設定処理が完了しているにも関わらず、リトライを行ってしまう。
【０００７】
このような無駄なリトライは無線資源の浪費であり、無駄なリトライを抑制することが望まれている。
【０００８】
従って、本発明の課題の一つは、無駄なリトライを抑制することのできる移動体通信システムを提供することにある。
【課題を解決するための手段】
【０００９】
上記課題を解決するための本発明にかかる移動体通信システムは、移動局装置と網側システムとを含む移動体通信システムにおいて、網側システムは、ネットワークサービスサーバ装置と、複数の網を構成する基地局装置と、を含み、移動局装置は、第１の網を構成する基地局装置に対し、所定の設定用信号を送信する設定用信号送信手段と、設定用信号送信手段による設定用信号の送信後所定時間経過後、第２の網を構成する基地局装置に対し、再度設定用信号を送信する設定用信号再送信手段と、を含み、第１の網を構成する基地局装置は、移動局装置が送信した設定用信号を受信する設定用信号受信手段と、設定用受信手段により設定用信号が受信された後、移動局装置とネットワークサービスサーバ装置との間で行なわれる通信の中継が開始される前に、インバンドが利用可能となったことを示すインバンド利用可能情報を含む確認信号、又は、ネットワークサービスサーバ装置において呼び出しを開始したことを示す確認信号を送信する確認信号送信手段と、設定用信号受信手段により受信された設定用信号を、ネットワークサービスサーバ装置に対して転送する設定用信号転送手段と、を含み、ネットワークサービスサーバ装置は、設定用信号転送手段により転送された設定用信号に応じた設定処理を行う設定処理手段、を含み、移動局装置は、第１の網を構成する基地局装置が送信した確認信号を受信する確認信号受信手段と、確認信号受信手段により確認信号が受信されたか否かに応じて、設定用信号再送信手段による設定用信号の送信を制限する送信制限手段と、をさらに含む、ことを特徴とする。
【００１０】
これによれば、確認信号が受信されたか否かに応じて設定用信号の再送信を制限することができる。すなわち、無駄なリトライを抑制することができる。
【００１１】
また、上記移動体通信システムにおいて、ネットワークサービスサーバ装置は、設定処理手段により行われる設定処理が失敗した場合に、所定の設定失敗通知信号を送信する送信手段、をさらに含み、移動局装置は、ネットワークサービスサーバ装置が送信した設定失敗通知信号を受信する受信手段と、送信制限手段は、受信手段により設定失敗通知信号が受信された場合、送信制限手段による制限を解除する制限解除手段と、をさらに含む、こととしてもよい。
【００１２】
これによれば、確認信号により再送信を制限した場合であっても、設定が失敗した場合には制限を解除することができるので、確実に設定を完了させることができる。
【００１７】
また、上記移動体通信システムにおいて、さらに設定用信号送信手段と設定用信号再送信手段とは、一方が自営網を構成する基地局装置を介して設定用信号を送信し、他方が公衆網を構成する基地局装置を介して設定用信号を送信する、こととしてもよい。
【００１８】
これによれば、再送信時には、送信時と異なる網を介して、設定用信号を送信することができる。
【発明を実施するための最良の形態】
【００１９】
本発明の実施の形態について、図面を参照しながら説明する。
【００２０】
図１は、本実施の形態にかかる移動体通信システム１のシステム構成を示す図である。同図に示すように、移動体通信システム１は網側システム２と移動局装置１０を含んで構成される。また、網側システム２はさらに、基地局装置２０（図１では、基地局装置２０−１及び２について示している）、通信網３０−１乃至３、ネットワークサービスサーバ装置４０を含んで構成される。
【００２１】
移動局装置１０、基地局装置２０、及びネットワークサービスサーバ装置４０は、いずれもＣＰＵ及びメモリを備えるコンピュータである。ＣＰＵは、メモリに記憶されるプログラムを実行するための処理ユニットであり、各装置の各部を制御する処理を行うとともに、後述する各機能を実現する。メモリは本実施の形態を実施するためのプログラムやデータを記憶している。また、ＣＰＵのワークメモリとしても動作する。
【００２２】
通信網３０−１及び基地局装置２０−１は、自営網を構成する。すなわち、通信網３０−１は、ＩＳＤＮ電話網のうち、固定電話の収束階梯交換機を含んで構成される。また、基地局装置２０−１は、各家庭に設置される自営タイプの基地局装置２０であり、通信網３０−１と有線通信接続するとともに、移動局装置１０と無線通信接続する。
【００２３】
通信網３０−２及び基地局装置２０−２は、公衆網を構成する。すなわち、通信網３０−２は、ＩＳＤＮ電話網のうち、ＰＨＳの収束階梯交換機を含んで構成される。また、基地局装置２０−２は、街中等に設置される公衆タイプの基地局装置２０であり、通信網３０−２と有線通信接続するとともに、移動局装置１０と無線通信接続する。
【００２４】
通信網３０−３は、ＩＳＤＮ電話網のうち、分配階梯交換機及び展開階梯交換機を含んで構成される。通信網３０−３は、通信網３０−１及び２、及びネットワークサービスサーバ装置４０と有線通信接続する。
【００２５】
移動局装置１０は、ユーザの設定により、自営タイプの基地局装置２０とのみ無線通信接続する自営接続モード、公衆タイプの基地局装置２０とのみ無線通信接続する公衆接続モード、いずれのタイプの基地局装置２０とも無線通信接続するデュアルモードのいずれかにより動作する。
【００２６】
基地局装置２０は、定期的に所定信号を報知する。移動局装置１０は、こうして報知される所定信号を受信することにより、通信相手の基地局装置２０を決定する。この決定に際し、移動局装置１０は、自営接続モードでは、自営タイプの基地局装置２０のみを決定の対象とする。また、公衆接続モードでは、公衆タイプの基地局装置２０のみを決定の対象とする。さらに、デュアルモードでは、自営タイプの基地局装置２０と公衆タイプの基地局装置２０の両方を決定の対象とするが、原則として自営タイプの基地局装置２０を通信相手として決定し、自営タイプの基地局装置２０との通信が不可能な場合や、後述する特定の場合に限り、公衆タイプの基地局装置２０を通信相手として決定する。
【００２７】
ネットワークサービスサーバ装置４０は、移動局装置１０に対し、種々のネットワークサービスを提供するためのサービスコントロールポイントである。ここでのネットワークサービスには、留守番電話や着信転送など、電気通信事業者が提供するあらゆるネットワークサービスが含まれる。
【００２８】
上記各ネットワークサービスには、ユーザによる設定動作を必要とするものも存在する。ユーザは、移動局装置１０からネットワークサービスサーバ装置４０に対し、所定の設定用信号を送信することにより、この設定動作を行う。ネットワークサービスサーバ装置４０は、設定用信号を受信すると、設定用信号に応じた設定処理を行い、その処理結果を示す設定結果通知信号を、移動局装置１０に対して送信する。
【００２９】
以下、上記設定処理にかかる構成について、移動局装置１０、基地局装置２０−１、ネットワークサービスサーバ装置４０の機能ブロックを参照しながら、詳細に説明する。
【００３０】
図２は、移動局装置１０、基地局装置２０−１、ネットワークサービスサーバ装置４０の機能ブロックを示す図である。同図に示すように、移動局装置１０は機能的に、設定用信号送信部１１、送信部１２、計時部１３、設定用信号再送信部１４、受信部１５、送信制限部１６、制限解除部１７を含んで構成される。また、基地局装置２０−１は機能的に、設定用信号受信部２１、設定用信号転送部２２、確認用信号送信部２３を含んで構成される。さらに、ネットワークサービスサーバ装置４０は機能的に、設定処理部４１、設定結果通知信号送信部４２を含んで構成される。
【００３１】
なお、以下の説明では、移動局装置１０のモードはデュアルモードであるとして説明する。また、移動局装置１０は基地局装置２０−１及び２の報知信号を受信しており、自営タイプの基地局装置２０である基地局装置２０−１を通信相手として決定しているとして説明する。
【００３２】
設定用信号送信部１１は、ユーザの指示に従って所定の設定用信号を生成し、網側システム２に対し、生成した設定用信号を送信する。具体的には、生成した設定用信号を送信部１２に対して出力し、送信部１２に送信させる。
【００３３】
送信部１２は、設定用信号送信部１１から入力される設定用信号を、基地局装置２０−１に対して送信する。
【００３４】
設定用信号受信部２１は、送信部１２が送信した設定用信号を受信する。設定用信号転送部２２は、設定用信号受信部２１により受信された設定用信号を、ネットワークサービスサーバ装置４０に対して転送する。
【００３５】
設定処理部４１は、設定用信号受信部２１により受信され、設定用信号転送部２２により転送された設定用信号に応じた設定処理を行う。
【００３６】
設定結果通知信号送信部４２は、設定処理部４１の行う設定処理の結果に応じて設定結果通知信号を生成し、移動局装置１０に対して送信する。具体的には、設定処理部４１の行う設定処理が完了した場合には、所定の設定完了通知信号を生成して送信する。一方、設定処理部４１の行う設定処理が失敗した場合（完了せずに終了した場合）には、所定の設定失敗通知信号を生成して送信する。
【００３７】
計時部１３は、設定用信号送信部１１による設定用信号の送信に応じて計時を開始する。
【００３８】
設定用信号再送信部１４は、計時部１３の計時を監視し、設定用信号送信部１１による設定用信号の送信後所定時間経過後、網側システム２に対し、設定用信号を送信する。具体的には、生成した設定用信号を送信部１２に対して出力し、送信部１２に送信させる。
【００３９】
送信部１２は、設定用信号送信部１１と設定用信号再送信部１４とが、それぞれ異なる基地局装置２０を介して、設定用信号を送信することとなるよう、設定用信号再送信部１４から入力される設定用信号の送信先となる基地局装置２０を決定する。より具体的には、設定用信号送信部１１と設定用信号再送信部１４のうち、一方が自営タイプの基地局装置２０を介して設定用信号を送信し、他方が公衆タイプの基地局装置２０を介して設定用信号を送信することとなるよう、設定用信号再送信部１４から入力される設定用信号の送信先となる基地局装置２０を決定する。ここでは、設定用信号送信部１１から入力される設定用信号を自営タイプの基地局装置２０である基地局装置２０−１に対して送信したので、公衆タイプの基地局装置２０である基地局装置２０−２を、設定用信号再送信部１４から入力される設定用信号の送信先として決定する。送信部１２は、こうして送信先として決定した基地局装置２０−２に対し、設定用信号再送信部１４から入力される設定用信号を送信する。
【００４０】
基地局装置２０−２は、基地局装置２０−１と同様にして設定用信号を受信し、ネットワークサービスサーバ装置４０に対して転送する。こうして転送された設定用信号を受信したネットワークサービスサーバ装置４０の処理は、基地局装置２０−１から設定用信号を受信した場合と同様である。
【００４１】
基地局装置２０は、移動局装置１０から設定用信号を受信するにあたり、移動局装置１０との間で通信を確立するための種々の信号の送受信を行う。図３は、移動局装置１０から基地局装置２０−１に対して設定用信号を送信するにあたり送受信される種々の信号の具体的な例を示す図である。以下、詳細に説明する。
【００４２】
送信部１２が設定用信号を送信する場合、ユーザは、移動局装置１０のダイヤルキーから設定用特番を入力し、オフフックする（Ｓ１）。設定用信号は、こうして入力される設定用特番により構成される。
【００４３】
オフフックされると、移動局装置１０は、基地局装置２０−１との間でリンクチャネルを確立するために、リンクチャネル確立要求を送信する（Ｓ２）。基地局装置２０−１は、リンクチャネル確立要求を受信するとリンクチャネルを割り当て、割り当てたリンクチャネルを移動局装置１０に対して通知する（Ｓ３）。その後、移動局装置１０と基地局装置２０−１とは、同期バーストを互いに送受信することにより、同期を確立する（Ｓ４，Ｓ５）。
【００４４】
同期を確立すると、移動局装置１０は、基地局装置２０−１に対して、ＳＡＢＭ(Set Asynchronous Balanced Mode:非同期平衡モード接続要求)を送信する（Ｓ６）。ＳＡＢＭを受信した基地局装置２０−１は、非同期平衡モード接続の可否を判定し、接続可であると判定した場合に、ＵＡ(Unnumbered Acknowledgment:接続肯定応答)を返送する（Ｓ７）。こうして、移動局装置１０と基地局装置２０−１とは非同期平衡モードにより無線通信接続を開始する。
【００４５】
次に、移動局装置１０は、基地局装置２０−１に対して、ＣＣ(Call Control)呼設定を送信する（Ｓ８）。このＣＣ呼設定は、ユーザが入力した設定用特番を、１６進情報として含んでいる。ＣＣ呼設定を受信した基地局装置２０−１は、ＣＣ呼設定を受け付けたことを示すＣＣ呼設定受付を返送する（Ｓ９）。
【００４６】
その後、移動局装置１０と基地局装置２０−１とは、図３に示すように、ＲＴ(Radio frequency Transmission management)定義情報要求（Ｓ１０）、ＲＴ定義情報応答（Ｓ１１）、ＲＴ機能要求（Ｓ１２）、ＲＴ機能要求応答（Ｓ１３）、ＲＴ秘密鍵設定（Ｓ１４）、ＭＭ(Mobility Management)機能要求（Ｓ１５）、ＭＭ機能要求応答（Ｓ１６）、ＭＭ認証要求（Ｓ１７）、ＭＭ認証応答（Ｓ１８）を送受信し、最後に基地局装置２０−１から移動局装置１０に対しＣＣ呼出（Ｓ１９）が送信される。
【００４７】
ＣＣ呼出は、ユーザの入力した設定用特番に応じた通信相手（この場合はネットワークサービスサーバ装置４０）において呼び出しを開始したことを示す信号であり、基地局装置２０−１は、通信相手が応答するまでの間、ＲＢＴ(Ring Back Tone)を移動局装置１０に対して送信する（Ｓ２０）。通信相手が応答すると、基地局装置２０−１は、ＣＣ応答を移動局装置１０に対して送信し（Ｓ２１）、移動局装置１０と通信相手との間で行われる通信の中継を開始する（Ｓ２２）。
【００４８】
確認用信号送信部２３は、以上説明した種々の信号のいずれかにより、設定用信号受信部２１により設定用信号が受信された後、設定処理部４１により行われる設定処理が完了する前に、移動局装置１０に対し、所定の確認信号を送信する。具体的な例では、ＣＣ呼設定受付やＣＣ呼出に含まれる経過識別子であって、そのひとつの要素である経過内容に、インバンドが利用可能となったことを示すインバンド利用可能情報が含まれるものが、上記確認信号に相当する。インバンド利用可能情報のさらに具体的な例としては、「呼がＩＳＤＮエンド・エンドでない。これ以降の経過情報はインバンドとなる。」ことを示す情報や、「インバンド信号ないし、適当なパターンが利用可能」であることを示す情報などが挙げられる。
【００４９】
受信部１５は、設定結果通知信号送信部４２により送信された設定結果通知信号と、確認用信号送信部２３により送信された確認信号と、を受信する。
【００５０】
送信制限部１６は、設定用信号送信部１１が送信した設定用信号に対して、受信部１５が確認信号を受信したか否かに応じて、設定用信号再送信部１４による設定用信号の送信を制限する。具体的には、確認信号が受信された場合に、設定用信号再送信部１４による設定用信号の送信が行われないようにする。
【００５１】
送信制限部１６は、設定用信号送信部１１が送信した設定用信号に対して、受信部１５が設定完了通知信号を受信したか否かに応じても、設定用信号再送信部１４による設定用信号の送信を制限する。具体的には、設定完了通知信号が受信された場合に、設定用信号再送信部１４による設定用信号の送信が行われないようにする。
【００５２】
一方、制限解除部１７は、設定用信号送信部１１が送信した設定用信号に対して、受信部１５が設定失敗通知信号を受信した場合に、送信制限部１６による制限を解除する。これにより、設定用信号再送信部１４は、設定用信号送信部１１による設定用信号の送信後所定時間経過後、網側システム２に対し、設定用信号を送信する。
【００５３】
以上説明した処理のうち、移動局装置１０における処理を、移動局装置１０の処理フローを参照しながら、再度より詳細に説明する。
【００５４】
図４は、移動局装置１０の処理フローを示す図である。同図に示すように、移動局装置１０は、まず自営網経由で設定用信号を送信する（Ｓ１００）。そして、この送信が失敗したか否かを判定する（Ｓ１０１）。具体的には、設定完了通知信号を受信する前に通信が切断されてしまった場合などに、送信が失敗したと判定される。送信が成功したと判定した場合には、処理を終了する。
【００５５】
送信が失敗したと判定した場合、移動局装置１０は、そのモードがデュアルモードであるか否かを判定する（Ｓ１０２）。デュアルモードでないと判定した場合には、再送信を行うことなく処理を終了する。
【００５６】
デュアルモードであれば、移動局装置１０は、ＣＣ呼出を受信する前に基地局装置２０から受信していたＣＣ呼設定受付又は他の信号にインバンド利用可能情報が含まれていたか否かを判定する（Ｓ１０３）。インバンド利用可能情報が含まれていれば、再送信を行うことなく処理を終了する。
【００５７】
次に、移動局装置１０は、ＣＣ呼出を受信していたか否かを判定する（Ｓ１０４）。ＣＣ呼出を受信していれば、再送信を行うことなく処理を終了する。
【００５８】
他の信号にもインバンド利用可能情報が含まれていなければ、移動局装置１０は、公衆網経由で、設定用信号を再送信する（Ｓ１０５）。
【００５９】
以上説明したように、移動体通信システム１によれば、確認信号が受信されたか否かに応じて設定用信号の再送信を制限することができる。すなわち、無駄なリトライを抑制することができる。
【００６０】
また、移動体通信システム１では、確認信号により再送信を制限した場合であっても、設定が失敗した場合には制限を解除することができるので、確実に設定を完了させることができる。
【００６１】
さらに、移動局装置１０は、基地局装置２０が送信した確認信号を受信することにより、網側システム２に設定用信号が受信されたことを確認することができる。
【００６２】
また、移動局装置１０は、再送信時には、送信時と異なる基地局装置２０を介して、設定用信号を送信することができる。さらに、再送信時には、送信時と異なる網を介して、設定用信号を送信することも可能となる。
【図面の簡単な説明】
【００６３】
【図１】本発明の実施の形態にかかる移動体通信システムのシステム構成を示す図である。
【図２】本発明の実施の形態にかかる移動局装置、基地局装置、及びネットワークサービスサーバ装置の機能ブロックを示す図である。
【図３】本発明の実施の形態において、移動局装置から基地局装置に対して設定用信号を送信するにあたり送受信される種々の信号の例を示す図である。
【図４】本発明の実施の形態にかかる移動局装置の処理フローを示す図である。
【符号の説明】
【００６４】
１  移動体通信システム、２  網側システム、１０  移動局装置、１１  設定用信号送信部、１２  送信部、１３  計時部、１４  設定用信号再送信部、１５  受信部、１６  送信制限部、１７  制限解除部、２０  基地局装置、２１  設定用信号受信部、２２  設定用信号転送部、２３  確認用信号送信部、３０  通信網、４０  ネットワークサービスサーバ装置、４１  設定処理部、４２  設定結果通知信号送信部。
【図１】
0004795845.tif 000002
【図２】
0004795845.tif 000003
【図３】
0004795845.tif 000004
【図４】
0004795845.tif 000005